(57)【要約】      （修正有）【課題】  メンブランストリップを用いたＥＩＡで、操作数を１回にした簡便なＥＩＡデバイス及び該デバイスを用いた検出方法を提供する。【解決手段】  試料液中の被検出物を検出するための、メンブランストリップを用いたＥＩＡデバイスであって、ストリップ部の一端に吸収パッド部、ストリップ部の他端上に酵素基質を乾燥状態で含有する基質部、ストリップ部に被検出物と反応する標識抗体又は標識抗原を乾燥状態で含有した標識部、標識部と吸収パッド部間のストリップ部に被検出物と反応する抗体又は抗原を固相化した検出部、標識部と基質部間のメンブラン部に検体試料液を加えるための試料部を設けたＥＩＡデバイス並びにそのデバイスを用いて被検出物を検出する方法であって、試料液を試料部に加えて１回の操作で標識抗体又は標識抗原と基質を試料液のみで溶解して泳動させ、連続した一連の反応で起こる検出部における着色の有無を観察して検出する。【選択図】  なし【特許請求の範囲】
【請求項１】
検体試料液中の被検出物を検出するための、メンブランストリップを用いたエンザイムイムノアッセイデバイスであって、メンブランストリップ部の一方の端に吸収パッド部、もう一方の端のメンブランストリップ部上に酵素の基質が乾燥状態で含有されている基質部、前記メンブランストリップ部に検出すべき抗原または抗体と反応する抗体または抗原を酵素で標識した標識抗体または標識抗原が乾燥状態で含有されている標識部、該標識部と前記吸収パッド部の間のメンブランストリップ部に検出すべき抗原または抗体と反応する抗体または抗原が固相化された検出部、標識部と基質部を含むその間のメンブラン部に検体試料液を加えるための試料部を設けたエンザイムイムノアッセイデバイス。
【請求項２】
請求項１記載のエンザイムイムノアッセイデバイスを用いて検体試料液中の被検出物を検出する方法であって、検体試料液を試料部に加えて１回の操作で標識抗体または標識抗原と基質を検体試料液のみで溶解して泳動させ、連続した一連の反応により起こる前記検出部における着色の有無を観察することにより検体試料液中の被検出物を検出する方法。
【発明の詳細な説明】
【技術分野】
【０００１】
本発明は、検体試料液中の抗原または抗体を検出するために用いられるエンザイムイムノアッセイデバイス及びそれを用いた検出方法に関する。
【背景技術】
【０００２】
検体試料液中の抗原または抗体を検出する方法としてメンブランストリップを用いたエンザイムイムノアッセイが用いられている（特許文献１および特許文献２参照）。
【０００３】
従来のメンブランストリップを用いたエンザイムイムノアッセイデバイスの態様を図２に示す。
【０００４】
メンブランストリップ部７の一方の端に吸収パッド部８、もう一方の端に基質パッド部９を設け、検出すべき抗原と反応する抗体を酵素で標識した標識抗体が乾燥状態で含有されている標識抗体部１０、標識抗体部１０と吸収パッド部８の間のメンブラン部に検出すべき抗原と反応する抗体が固相化された検出部１１がそれぞれ設けられている。
使用時に、検体試料液を標識抗体部１０に加え、つづいて基質パッド部９に酵素反応により着色する基質液を加える。
【０００５】
標識抗体は検体試料液中の検出すべき抗原と抗原抗体反応しながら泳動し、検出部１１に到達すると固相化されている抗体に捕捉される。
基質液も同方向に泳動し、捕捉された標識抗体の標識酵素が基質と酵素反応するので検出部１１が着色する。
【０００６】
一方、検体試料液中に検出すべき抗原が存在しない場合は、標識抗体が検出部１１に捕捉されないので検出部１１は着色しない。
【０００７】
従って、検体試料液中に検出すべき抗原が存在するか否かを、検出部１１の着色の有無で知ることができる。
【０００８】
【特許文献１】特許3248436号公報
【特許文献２】特許3284896号公報
【発明の開示】
【発明が解決しようとする課題】
【０００９】
上記したような従来のエンザイムイムノアッセイデバイスは、使用時に検体試料液を標識抗体部に加え、つづいて基質液を基質パッド部に加える、という２回の操作ステップを要するため煩雑である。
【００１０】
従って、本発明の目的は、使用時における操作ステップ数を１回にした、新しいエンザイムイムノアッセイデバイス及び該デバイスを用いた検出方法を提供することにある。
【課題を解決するための手段】
【００１１】
本願発明者は、鋭意研究を行った結果、乾燥した標識抗体または標識抗原並びに乾燥した酵素の基質を検体試料液のみで１回の操作により溶解して泳動させることにより、上記目的が達成できることを見出し本発明を完成させた。
【００１２】
すなわち、本発明は、検体試料液中の被検出物を検出するための、メンブランストリップを用いたエンザイムイムノアッセイデバイスであって、メンブランストリップ部の一方の端に吸収パッド部、もう一方の端のメンブランストリップ部上に酵素の基質が乾燥状態で含有されている基質部、前記メンブランストリップ部に検出すべき抗原または抗体と反応する抗体または抗原を酵素で標識した標識抗体または標識抗原が乾燥状態で含有されている標識部、該標識部と前記吸収パッド部の間のメンブランストリップ部に検出すべき抗原または抗体と反応する抗体または抗原が固相化された検出部、標識部と基質部を含むその間のメンブラン部に検体試料液を加えるための試料部を設けたエンザイムイムノアッセイデバイスおよび上記のエンザイムイムノアッセイデバイスを用いて検体試料液中の被検出物を検出する方法であって、検体試料液を試料部に加えて１回の操作で標識抗体または標識抗原と基質を検体試料液のみで溶解して泳動させ、連続した一連の反応により起こる前記検出部における着色の有無を観察することにより検体試料液中の被検出物を検出する方法を提供する。
【発明の効果】
【００１３】
本発明の方法により、検体試料液を所定の部位に加えるだけの１ステップ操作で抗原または抗体を検出できるエンザイムイムノアッセイデバイス及び該デバイスを用いた検出方法を確立することができた。
【発明を実施するための最良の形態】
【００１４】
本発明のエンザイムイムノアッセイデバイスの構成及びそれを用いた検出方法の具体例を以下に詳細に説明する。
【００１５】
１．デバイスの構成
図１は、エンザイムイムノアッセイデバイスの好ましい実施態様の模式図である。
すなわち、メンブランストリップ部１の一方の端に吸収パッド部２、もう一方の端のメンブランストリップ部上に酵素の基質が乾燥状態で含有されている基質部３、前記メンブランストリップ部１に検出すべき抗原または抗体と反応する抗体または抗原を酵素で標識した標識抗体または標識抗原が乾燥状態で含有されている標識部４、該標識部４と前記吸収パッド部２の間のメンブランストリップ部に検出すべき抗原または抗体と反応する抗体または抗原が固相化された検出部５、標識部４と基質部３を含むその間のメンブランストリップ部に検体試料液を加えるための試料部６を設けたデバイスである。
【００１６】
（１）メンブランストリップ部
メンブランストリップ部の材質は、特に限定されないが、多孔性の吸水性の材質であり、検体試料液や基質液が毛管作用により展開し得る材質である。例えば、ニトロセルロース、酢酸セルロース、ナイロン、ポリエーテルスルホン、ポリビニルアルコール、ポリエステル、ガラス繊維、ポリオレフィン、セルロース、これらの混合繊維からなる人工ポリマーが用いられ、好ましくはニトロセルロースメンブランが用いられる。メンブランの厚さは特に限定されないが、好ましくは１００〜２００μｍ程度である。また、メンブランは長方形のストリップで用い、その大きさは、特に限定されないが、通常、３ｍｍ〜９ｍｍ×４０ｍｍ〜６０ｍｍ程度である。
【００１７】
（２）吸収パッド部
吸収パッド部は、本発明のエンザイムイムノアッセイデバイスの一端に設けられデバイスを展開する液体を吸収することによりメンブレン上の液体の流れを促進する。吸収パッド部は、多量の液を吸収できるよう、吸水性の材質でできており、例えば、ろ紙、ガラス繊維などでできた不織布等が用いられる。また、その大きさは、特に限定されないが、通常、３ｍｍ〜１５ｍｍ×１０ｍｍ〜４０ｍｍ、厚さ０．５ｍｍ〜３ｍｍ程度である。
【００１８】
（３）検出部
検出部は、検出すべき抗原または抗体と抗原抗体反応により特異的に結合して検出すべき抗原または抗体を捕捉するための抗体または抗原がメンブランに固相化されている。抗体または抗原は、例えばライン状に固相化すればよい。固相化は、タンパク質をニトロセルロース膜等の固相に固相化するための公知の方法で行うことができる。抗体は精製したポリクローナル抗体またはモノクローナル抗体が用いられる。抗原は、精製した天然の抗原またはリコンビナント抗原が用いられる。
【００１９】
（４）標識部
吸水性の材質、例えばスポンジ及びガラス繊維などでできた不織布等の材質が用いられ、その大きさは、特に限定されないが、通常、３ｍｍ〜１０ｍｍ×３ｍｍ〜１０ｍｍ、厚さ０．５ｍｍ〜３ｍｍ程度で、酵素標識した標識抗体または標識抗原が乾燥状態で含有されている。
【００２０】
標識部は、上記の吸収性の材質に標識抗体または標識抗原を含浸させ、乾燥させればよい。標識抗体または標識抗原は、検出すべき抗原または抗体と抗原抗体反応により特異的に結合する抗体または抗原に酵素を標識したものが用いられる。抗体は精製したポリクローナル抗体またはモノクローナル抗体が用いられる。抗原は、精製した天然の抗原またはリコンビナント抗原が用いられる。標識に用いる酵素としては、一般的にエンザイムイムノアッセイに用いられるアルカリフォスファターゼ、ペルオキシダーゼ、β−ガラクトシダーゼ等を用いることができる。
【００２１】
（５）基質部
吸水性のある材質、例えばスポンジ及びガラス繊維などの不織布等の材質が用いられ、その大きさは、特に限定されないが、通常、３ｍｍ〜１０ｍｍ×８ｍｍ〜３０ｍｍ、厚さ０．５ｍｍ〜３ｍｍ程度で、酵素の基質が乾燥状態で含有されている。上記吸水性の材質に基質を含浸させ、乾燥させればよい。基質としては、酵素反応時に色素が不溶化となる性質を有する基質を用いることが好ましく、例えば、標識酵素がアルカリフォスファターゼの場合には５−ブロモ−４−クロロ−３−インドリルリン酸／ニトロテトラゾリウムブルー、β−ガラクトシダーゼーの場合には５−ブロモ−４−クロロ−３−インドリル−β−Ｄ−ガラクトピラノシド、ペルオキシダーゼの場合には３，３’−ジアミノベンチジン等を用いることができる。
【００２２】
（６）試料部
検体試料液を加え標識部と基質部に吸収させるための部位で、検体試料液をメンブランに直接加えることが好ましいが、吸水性のある材質、例えばスポンジ、ガラス繊維などの不織布等のパッドをメンブラン上に設けその部分に加えることもできる。この場合、試料部のパッドと基質部および／または標識部は接触していてもいなくてもよい。試料部は標識部と基質部の間に設けられ、基質部または標識部と同じ位置にあってもよい。
【００２３】
（７）検体試料液
本発明にいう検体試料液は、咽頭あるいは鼻腔拭い液、鼻腔吸引液、咽頭あるいは鼻腔洗浄液、唾液、血清、便懸濁液、尿、培養液及びそれらを緩衝液で希釈したものを用いることができるがこれらに限定されない。
【００２４】
希釈に用いる緩衝液としては、免疫学的試験に通常使用される緩衝液等を使用することができ、トリス緩衝液、リン酸緩衝液、グッドの緩衝液等が挙げられ、塩化ナトリウム、界面活性剤、ウシ血清アルブミン、アジ化ナトリウム等を適宜加えることができるが、これらに限定されない。
【００２５】
（８）被検出物
本発明にいう検出すべき抗原または抗体は、何ら限定されず、検出しようとするいかなる物質であってもよい。たとえば、インフルエンザウイルス、アデノウイルス、ＲＳウイルス、ノーウォーク様ウイルス等のウイルス抗原、レジオネラ属菌、溶連菌、ＭＲＳＡ等の細菌抗原、ホルモン等を挙げることができるが、これらに限定されない。
【００２６】
また、検出すべき抗体も限定されず、上記細菌、ウイルス等に対する抗体が挙げられる。
【００２７】
２．本発明のデバイスを用いた検出方法
使用時に上記のデバイスを用い、検体試料液を試料部６に加えると検体試料液は標識部４および基質部３に達し、標識部４と基質部３に吸収され、標識抗体または標識抗原および基質が検体試料液に溶解する。メンブラン上の吸収パッド部方向への流れが吸収パッド部に達すると液体は吸収パッド部に吸収され、全体の流れは基質部から吸収パッド部へ向かう。従って、溶解された標識抗体または標識抗原は、吸収パッド部方向へと移動する。
【００２８】
標識抗体または標識抗原は、検体試料液中に検出すべき抗原または抗体が存在すれば抗原抗体反応しながら泳動し、検出部５に到達すると固相化されている抗体または抗原に捕捉される。基質も同方向に泳動し、捕捉された標識抗体または標識抗原の標識酵素が基質と酵素反応するので検出部５が着色する。
【００２９】
一方、検体試料液中に検出すべき抗原または抗体が存在しない場合は、標識抗体または標識抗原が検出部５に捕捉されないので検出部５は着色しない。
【００３０】
従って、検体試料液中に検出すべき抗原または抗体が存在するか否かを、検出部５の着色の有無で判定することができる。なお、捕捉されなかった他の成分及び検体試料液等は吸収パッド部に吸収される。検体試料液を試料部に加えてから着色の有無を判定するまでに要する時間は通常１０〜３０分間程度である。
【００３１】
本発明のエンザイムイムノアッセイデバイスでは、従来のデバイスと異なり、標識抗体または標識抗原を乾燥状態で含む標識部および基質を乾燥状態で含む基質部が設けられており、標識部と基質部を含むその間のメンブランストリップ部に検体試料液を加えるための試料部が設けられている。このことにより、使用時には、検体試料液を試料部に加えるだけでよく、操作が１ステップとなるため煩雑さがなくなり簡便となる。検体試料液の量は、被検出物により異なるが、通常１００〜４００μＬ程度である。
【実施例】
【００３２】
以下、本発明を実施例に基づきより具体的に説明する。もっとも、本発明は下記実施例に限定されるものではない。
【００３３】
実施例１
１．抗インフルエンザウイルスモノクローナル抗体の作製
（１）抗Ａ型インフルエンザウイルスＮＰ抗体
Ａ型インフルエンザウイルス抗原をＢＡＬＢ／ｃマウスに免疫し、一定期間飼育したマウスから脾臓を摘出し、ケラーらの方法（Kohler et al., Nature, vol, 256, p495-497(1975)）によりマウスミエローマ細胞（Ｐ３×６３）と融合した。得られた融合細胞（ハイブリドーマ）を、３７℃インキュベーター中で維持し、Ａ型インフルエンザウイルスＮＰ抗原を固相したプレートを用いたＥＬＩＳＡにより上清の抗体活性を確認しながら細胞の純化（単クローン化）を行った。取得した該細胞２株をそれぞれプリスタン処理したＢＡＬＢ／ｃマウスに腹腔投与し、約２週間後、抗体含有腹水を採取した。
【００３４】
得られた腹水からプロティンＡカラムを用いたアフィニティークロマトグラフィー法により、それぞれＩｇＧを精製し、２種類の精製抗Ａ型インフルエンザウイルスＮＰ抗体を得た。
【００３５】
（２）抗Ｂ型インフルエンザウイルスＮＰ抗体
Ｂ型インフルエンザウイルス抗原を用い、（１）と同様の方法で、２種類の精製抗Ｂ型インフルエンザウイルスＮＰ抗体を得た。
【００３６】
２．酵素標識抗Ａ型インフルエンザウイルスＮＰ抗体の作製  
（１）アルカリフォスファターゼ標識抗Ａ型インフルエンザウイルスＮＰ抗体の作製
精製抗Ａ型インフルエンザウイルスＮＰ抗体のうち１種類について４５ｍｇを０．１Ｍクエン酸緩衝液（ｐＨ３．６）で透析後、ペプシン１０ｍｇを添加し、３７℃で１時間、Ｆａｂ’消化処理を行った。処理液をウルトロゲルＡｃＡ３４カラムで分画して抗Ａ型インフルエンザウイルスＮＰ抗体Ｆ（ａｂ’）２精製画分を得た。前記画分を約１０ｍｇ／ｍＬまで濃縮後、０．１Ｍメルカプトエチルアミンと１０：１の体積比で混合し、３７℃で９０分間還元処理を行った。処理液をウルトロゲルＡｃＡ３４カラムで分画して抗Ａ型インフルエンザウイルスＮＰ抗体Ｆａｂ’精製画分を得た後、約１ｍＬにまで濃縮した。
【００３７】
１０ｍｇ／ｍＬのアルカリフォスファターゼ１．５ｍＬを１ｍＭ塩化マグネシウムならびに０．１ｍＭ塩化亜鉛を含む５０ｍＭホウ酸緩衝液（ｐＨ７．６）に透析後、Ｎ−（６−マレイミドカプロイルオキシ）スクシンイミド０．７ｍｇを添加し、３０℃で１時間処理した。処理後の溶液をセファデックスＧ−２５カラムで分画し、最初のピークを回収してマレイミド−アルカリフォスファターゼを得た後、約１ｍＬにまで濃縮した。
【００３８】
濃縮した抗Ａ型インフルエンザウイルスＮＰ抗体Ｆａｂ’とマレイミド−アルカリフォスファターゼを１：２．３の蛋白比で混合し、４℃で２０時間穏やかに撹拌して反応させ、アルカリフォスファターゼ標識抗Ａ型インフルエンザウイルスＮＰ抗体Ｆａｂ’を得た。更に、反応液をウルトロゲルＡｃＡ３４カラムで分画し、未反応物を除去して精製アルカリフォスファターゼ標識抗Ａ型インフルエンザウイルスＮＰ抗体Ｆａｂ’を得た。
【００３９】
精製アルカリフォスファターゼ標識抗Ａ型インフルエンザウイルスＮＰ抗体Ｆａｂ’は、０．１５Ｍ塩化ナトリウム、１％（Ｗ／Ｖ）ウシ血清アルブミン、１．５ｍＭ塩化マグネシウム、０．１５ｍＭ塩化亜鉛、０．０９％アジ化ナトリウムを含む１０ｍＭトリス緩衝液（ｐＨ８．０）の組成からなる標識抗体希釈液で希釈した後、０．２２μｍ孔径の濾過フィルターで濾過し、アルカリフォスファターゼ標識抗Ａ型インフルエンザウイルスＮＰ抗体を得た。
【００４０】
（２）アルカリフォスファターゼ標識抗Ｂ型インフルエンザウイルスＮＰ抗体の作製
精製抗Ｂ型インフルエンザウイルスＮＰ抗体のうち１種類について、（１）と同様の方法で、アルカリフォスファターゼ標識抗Ｂ型インフルエンザウイルスＮＰ抗体を得た。
【００４１】
３．デバイスの作製
（１）Ａ型インフルエンザウイルス用デバイス
ニトロセルロースメンブラン（HiFlow Plus HF06504 ミリポア社製）を２０ｃｍ×５ｃｍに切り、このニトロセルロースメンブランの吸収パッド部側のメンブラン端から1ｃｍの位置に精製水を用いて至適濃度に希釈した抗Ａ型インフルエンザウイルスＮＰ抗体液（上記と別のクローン）で幅０．５ｍｍの２０ｃｍラインを描き、減圧下で乾燥して抗体を固相化し、カッターで５ｍｍ×５ｃｍのストリップに細切してメンブランストリップ部を作製した。濾紙（ＷＡ１．５ ワットマン社製）を５ｍｍ×３ｃｍの大きさに細切し、メンブランストリップ部の端に５ｍｍ重ねて吸収パッド部を設けた。
【００４２】
ついで、６ｍｍ×６ｍｍ×０．５ｍｍのポリビニルスポンジに標識抗体を含有させた標識部を検出部から４ｍｍ離れたメンブラン上に設けた。該標識部は、１０％（Ｗ／Ｖ）トレハロース、４％（Ｗ／Ｖ）ウシ血清アルブミン、０．２％（Ｗ／Ｖ）Ｔｒｉｔｏｎ  Ｘ−１００、１．５ｍＭ塩化マグネシウム、０．１５ｍＭ塩化亜鉛を含む１０ｍＭトリス緩衝液（ｐＨ８．０）にアルカリフォスファターゼ標識抗Ａ型インフルエンザウイルスＮＰ抗体を至適濃度に加えたものを２５μＬ量ポリビニルスポンジ（Ｆ(Ａ)アイオン社製）に含浸させたのち減圧下で乾燥して用いた。
【００４３】
更に、該標識部から１０ｍｍ離れたメンブランストリップ部上に、５ｍｍ×２０ｍｍ×２ｍｍのポリビニルスポンジに基質を含有させた基質部を設けてデバイスを作製した。
【００４４】
該基質部は、５−ブロモ−４−クロロ−３−インドリルリン酸／ニトロテトラゾリウムブルー（ＢＣＩＰ／ＮＢＴ）溶液（Ｂ１９１１  シグマアルドリッチ社製）にトレハロース１０％を加えたものをポリビニルスポンジ（Ｆ(Ａ）アイオン社製）に含浸させたのち凍結乾燥して用いた。
【００４５】
（２）Ｂ型インフルエンザウイルス用デバイス
（１）と同様の方法で、Ｂ型インフルエンザウイルス用デバイスを作製した。
検出
検体としてＡ型インフルエンザウイルス抗原液並びにＢ型インフルエンザウイルス抗原液をそれぞれ用いた。
インフルエンザウイルス抗原液を０．１５Ｍ塩化ナトリウム、０．１％（Ｗ／Ｖ）ウシ血清アルブミン、０．５％（Ｗ／Ｖ）ｎ-オクチル-β-Ｄ-グルコシドを含む１０ｍＭトリス緩衝液（ｐＨ８．０）で１０倍階段希釈し検体試料液とした。
検体試料液をデバイスの標識部から３ｍｍ離れた試料部に２００μＬ加え、２０分後に判定を行った。
【００４６】
結果
Ａ型インフルエンザウイルス用デバイスを用いた時、Ａ型インフルエンザウイルス抗原は１０５（pfu/mL）まで陽性で、Ｂ型インフルエンザウイルス抗原は陰性となり特異的にＡ型インフルエンザウイルス抗原を検出できることが確かめられた。
【００４７】
一方、Ｂ型インフルエンザウイルス用デバイスを用いた時、Ｂ型インフルエンザウイルス抗原は１０５（pfu/mL）まで陽性で、Ａ型インフルエンザウイルス抗原は陰性となり特異的にＢ型インフルエンザウイルス抗原を検出できることが確かめられた。
得られた結果を表１及び表２に示す。
【００４８】
表１
Ａ型インフルエンザウイルス用デバイスを用いた成績
ウイルス濃度（pfu/mL）      
１０６      １０５     １０４ 
Ａ型インフルエンザウイルス抗原     ＋         ＋        −      
Ｂ型インフルエンザウイルス抗原     −         −        −      
判定基準
＋  ：  青の着色が見られるもの
−  ：  青の着色が見られないもの
【００４９】
表２
Ｂ型インフルエンザウイルス用デバイスを用いた成績
ウイルス濃度（pfu/mL）      
１０６      １０５     １０４ 
Ｂ型インフルエンザウイルス抗原     ＋         ＋        −      
Ａ型インフルエンザウイルス抗原     −         −        −      
判定基準
＋  ：  青の着色が見られるもの
−  ：  青の着色が見られないもの
【００５０】
表１及び２に示すように１ステップ操作で特異的な抗原を簡便にしかも短時間のうちに検出できることがわかる。
【図面の簡単な説明】
【００５１】
【図１】本発明のエンザイムイムノアッセイデバイスの態様を示す図である。
【図２】従来のエンザイムイムノアッセイデバイスの態様を示す図である。
【符号の説明】
【００５２】
１  メンブランストリップ部
２  吸収パッド部
３  基質部
４  標識部
５  検出部
６  試料部
７  メンブランストリップ部
８  吸収パッド部
９  基質パッド部
１０  標識抗体部
１１  検出部
【図１】
2005274410.tif 000002
【図２】
2005274410.tif 000003